(57)【要約】【課題】決済機能を有する秘匿性の高いカード情報と、決済機能を有しない秘匿性の低いカード情報のいずれについても、一のＵＲＬによるアクセス、同一の操作手順により適宜読み出し、送信可能とすること。【解決手段】本発明の情報処理装置は、携帯端末からの認証情報と記憶手段に記憶された利用者情報とを照合し、両者が一致した場合には通信手段によりサービス選択画面のファイルを上記携帯端末に送信して、サービス選択情報の入力を促し、上記携帯端末からの選択済サービス情報を上記通信手段にて受信すると、当該選択済サービス情報により特定されるサーバに上記通信手段を介して上記利用者情報に含まれる照合識別情報を送信し、上記サーバからの当該照合識別情報に対応するカード情報を上記通信手段にて受信すると、当該カード情報に所定の処理を施した後、上記通信手段を介して上記携帯端末に送信して当該情報に基づく表示を促すよう制御する制御手段を有するものである。【選択図】　　図１
2004021311.tif 000002
【特許請求の範囲】
【請求項１】
少なくとも携帯端末と通信する通信手段と、
上記携帯端末の利用者情報、カード情報を複数記憶する記憶手段と、
上記携帯端末からの認証情報と上記記憶手段に記憶された利用者情報とを照合し、両者が一致した場合には上記通信手段によりサービス選択画面のファイルを上記携帯端末に送信して、サービス選択情報の入力を促し、
上記携帯端末からの選択済サービス情報を上記通信手段にて受信すると、当該選択済サービス情報に対応するカード情報に所定の処理を施した後、上記通信手段を介して上記携帯端末に送信して当該情報に基づく表示を促す、
ように制御する制御手段と、
を具備することを特徴とする情報処理装置。
【請求項２】
少なくとも携帯端末及びサーバと通信する通信手段と、
少なくとも上記携帯端末の利用者情報及びサービス情報を、複数記憶する記憶手段と、
上記携帯端末からの認証情報と上記記憶手段に記憶された利用者情報とを照合し、両者が一致した場合には上記通信手段によりサービス選択画面のファイルを上記携帯端末に送信して、サービス選択情報の入力を促し、
上記携帯端末からの選択済サービス情報を上記通信手段にて受信すると、当該選択済サービス情報により特定されるサーバに上記通信手段を介して上記利用者情報に含まれる照合識別情報を送信し、
上記サーバからの当該照合識別情報に対応するカード情報を上記通信手段にて受信すると、当該カード情報に所定の処理を施した後、上記通信手段を介して上記携帯端末に送信して当該情報に基づく表示を促す、
ように制御する制御手段と、
を具備することを特徴とする情報処理装置。
【請求項３】
上記認証情報は、ＨＴＴＰヘッダ情報から得られる携帯端末固有の個体識別情報とパスワードとからなることを更なる特徴とする請求項１又は２のいずれかに記載の情報処理装置。
【請求項４】
上記記憶手段には、各サービスが決済機能を有するか否かを示す決済機能有無情報が上記サービス情報と関連付けて記憶されており、
上記制御手段は、当該決済機能有無情報に基づいて携帯端末へ送信すべきカード情報が決済機能を有するか否かを判断し、カード情報が決済機能を有するカードに係るものである場合には第１の処理を施し、カード情報が決済機能を有しないカードに係るものである場合には第２の処理を施し、携帯端末へ送信するよう制御する、ことを更なる特徴とする請求項１乃至３のいずれかに記載の情報処理装置。
【請求項５】
上記記憶手段には、上記サービス情報に対応した決済先を示す決済先情報が上記サービス情報と関連付けて記憶されており、
上記制御手段は、携帯端末へ送信すべきカード情報に関連する決済先情報が記憶されている場合には、当該決済先情報に基づいて所定の決済処理を更に行う、ことを更なる特徴とする請求項１乃至４のいずれかに記載の情報処理装置。
【請求項６】
上記所定の処理とは、カード情報に時間情報を付加した後に暗号化する処理をいい、上記制御手段は、当該暗号情報を上記通信手段を介して上記携帯端末に送信する、ことを更なる特徴とする請求項１乃至５のいずれかに記載の情報処理装置。
【請求項７】
携帯端末と通信自在な情報処理装置により、
上記携帯端末からの認証情報と上記記憶手段に記憶された利用者情報とを照合し、両者が一致した場合には上記通信手段によりサービス選択画面のファイルを上記携帯端末に送信して、サービス選択情報の入力を促し、
上記携帯端末からの選択済サービス情報を上記通信手段にて受信すると、当該選択済サービス情報に対応するカード情報に所定の処理を施した後、上記通信手段を介して上記携帯端末に送信して当該情報に基づく表示を促す、
ことを特徴とする情報処理方法。
【請求項８】
携帯端末及びサーバと通信自在な情報処理装置により、
上記携帯端末からの認証情報と利用者情報とを照合し、両者が一致した場合にはサービス選択画面のファイルを上記携帯端末に送信して、サービス選択情報の入力を促し、上記携帯端末からの選択済サービス情報を受信すると、当該選択済サービス情報により特定されるサーバに上記利用者情報に含まれる照合識別情報を送信し、上記サーバからの当該照合識別情報に対応するカード情報を受信すると、当該カード情報に所定の処理を施した後、上記携帯端末に送信して当該情報に基づく表示を促す、ことを特徴とする情報処理方法。
【請求項９】
上記認証情報は、ＨＴＴＰヘッダ情報から得られる携帯端末固有の個体識別情報とパスワードとからなることを更なる特徴とする請求項７又は８のいずれかに記載の情報処理方法。
【請求項１０】
上記情報処理装置により、
各サービスが決済機能を有するか否かを示す決済機能有無情報を上記サービス情報と関連付けて記憶し、上記決済機能有無情報に基づいて携帯端末へ送信すべきカード情報が決済機能を有するか否かを判断し、カード情報が決済機能を有するカードに係るものである場合には第１の処理を施し、カード情報が決済機能を有しないカードに係るものである場合には第２の処理を施し、携帯端末へ送信するよう制御する、
ことを更なる特徴とする請求項７乃至９のいずれかに記載の情報処理方法。
【請求項１１】
上記情報処理装置により、
上記サービス情報に対応した決済先を示す決済先情報を上記サービス情報と関連付けて記憶し、上記携帯端末へ送信すべきカード情報に関連する決済先情報が記憶されている場合には、当該決済先情報に基づいて所定の決済処理を更に行う、
ことを更なる特徴とする請求項７乃至１０のいずれかに記載の情報処理方法。
【請求項１２】
上記所定の処理とは、カード情報に時間情報を付加した後に暗号化する処理をいい、上記制御手段は、当該暗号情報を上記通信手段を介して上記携帯端末に送信する、ことを更なる特徴とする請求項７乃至１１のいずれかに記載の情報処理方法。
【発明の詳細な説明】
【０００１】
【発明の属する技術分野】
本発明は、例えばカード情報等に関する所定の情報処理を行う装置及び方法に係り、特に決済機能のある秘匿性の高いカードのカード情報と、決済機能の無い秘匿性の低いカードのカード情報とを併せて記憶可能とし、これらカード情報を携帯電話機に送信し、当該携帯電話機にカード情報を表示してカードと同様の機能を発揮させるために、所定の情報処理を行う情報処理装置及び情報処理方法に関するものである。
【０００２】
【従来の技術】
従来、店舗等において商品を購入し、或いはサービスの提供を受けた際に、利用者が保有するクレジットカード等を用いて決済を行うことが一般的になされている。一方、今日では、携帯電話機及びインターネットの普及に伴い、ＥコマースやＭコマースが盛んに行われるようになっており、更にはインターネットのＷｅｂページを通じても様々なサービスが提供されているが、このようなサービスの１つに携帯端末を利用した「チケットレスサービス」がある。これは、紙ベースで発券していた従来型チケットの換わりに電子メールを携帯端末に送信し、或いはＷｅｂサーバより携帯端末に識別情報を送信し、例えば店舗等の加盟店において当該携帯端末に表示されている情報に基いた識別を行うものであり、例えば映画や旅行のチケットやクーポン等の用途で利用されている。
【０００３】
さらに、インターネットを通じてＷｅｂ上でショッピングする「インターネットショッピング」や携帯端末を用いた「モバイルショッピング」の利用も増加の傾向にある。このようなサービスでは、インターネットを介して決済が行われることになるが、当該決済を行う場合には、デジタル情報の欠点であるコピーや複製を防止するために、インターネットを介して送信される情報を、例えば公開鍵方式やバーコード方式等により暗号化することも一般になされている。
【０００４】
即ち、例えば、特開２００１−５８８３号公報では、決済システムに係る技術が開示されている。この決済システムでは、携帯型端末が、認証サーバから送信されたバーコード情報に基づきディスプレイにバーコードパターンを表示し、店舗のＰＯＳレジスタに接続されたバーコードリーダが当該バーコードパターンを読み取り、取得した情報を決済コントローラに送信し、決済を行う。
【０００５】
【発明が解決しようとする課題】
しかしながら、上記特開２００１−５８８３号公報により開示された決済システム等に係る技術では、情報のセキュリティを高めるべくバーコード方式が採用されているものの、カード発行会社毎に会員番号等をバーコード化して携帯電話に表示させていた為、ユーザは複数のカード発行会社のＵＲＬを個別に記憶していなければならず、更には該会員番号等を表示させるための認証用パスワードも個別に記憶していなければならないといった問題がある。
【０００６】
また、決済機能を有するカードのカード情報についてはセキュリティを高める為に暗号化処理等が不可欠であるが、その場合、決済機能を有しないカードのカード情報を処理する場合と操作方法が異なっていたり、或いはカード発行会社毎に操作方法が異なっていたりする等、煩雑な操作が必要とされている。
【０００７】
さらに、従来の技術では、例えば会員カードについてカード情報をバーコードパターンで携帯電話機等に表示することはできても、当該カード情報に基づく処理、即ち会員であることの確認等がなされるのみであり、商品購入、サービス提供に伴なう決済は、別途クレジットカードに係るカード情報を携帯電話機等に表示して提示する必要があり、時間がかかり、手続的な負担も大きい。
【０００８】
本発明は、上記問題に鑑みてなされたもので、その目的とするところは、既存のシステムを大きく変更することなく、簡易な構成を付加するだけで、効果的な不正使用防止機能を実現し、セキュリティを向上させつつ、利用者が携帯電話機をカードの代用として店舗等において利用可能とする等、利用者の利便性や利用者の個人情報の秘匿性を向上させることにある。
【０００９】
更には、クレジットカードのような決済機能を有する秘匿性の高いカードのカード情報と、会員カードのような決済機能を有しない秘匿性の低いカードのカード情報のいずれについても、１つのＵＲＬによるアクセス、同一の操作手順、更には携帯電話機によるアクセス時に得られるヘッダ情報に基づいた簡易な認証により適宜読み出し、送信可能とすることにある。
【００１０】
このとき、カード情報の決済機能の有無（秘匿性の高低）に基づいて表示態様も自動的に定まるようにすることも可能とする。
【００１１】
以上のほか、利用者が店舗等において決済機能を有しない会員カード等に係る処理を行う場合に、決済機能を有するクレジットカード等に係る決済処理を所望とするときに、会員カード等の利用及びクレジットカード等による決済処理を同時に行うことを実現することにある。
【００１２】
【課題を解決するための手段】
上記目的を達成するために、請求項１に係る発明は、少なくとも携帯端末と通信する通信手段と、上記携帯端末の利用者情報、カード情報を複数記憶する記憶手段と、上記携帯端末からの認証情報と上記記憶手段に記憶された利用者情報とを照合し、両者が一致した場合には上記通信手段によりサービス選択画面のファイルを上記携帯端末に送信して、サービス選択情報の入力を促し、上記携帯端末からの選択済サービス情報を上記通信手段にて受信すると、当該選択済サービス情報に対応するカード情報に所定の処理を施した後、上記通信手段を介して上記携帯端末に送信して当該情報に基づく表示を促す、ように制御する制御手段と、を具備することを特徴とする情報処理装置としたものである。
【００１３】
請求項２に係る発明は、少なくとも携帯端末及びサーバと通信する通信手段と、少なくとも上記携帯端末の利用者情報及びサービス情報を、複数記憶する記憶手段と、上記携帯端末からの認証情報と上記記憶手段に記憶された利用者情報とを照合し、両者が一致した場合には上記通信手段によりサービス選択画面のファイルを上記携帯端末に送信して、サービス選択情報の入力を促し、上記携帯端末からの選択済サービス情報を上記通信手段にて受信すると、当該選択済サービス情報により特定されるサーバに上記通信手段を介して上記利用者情報に含まれる照合識別情報を送信し、上記サーバからの当該照合識別情報に対応するカード情報を上記通信手段にて受信すると、当該カード情報に所定の処理を施した後、上記通信手段を介して上記携帯端末に送信して当該情報に基づく表示を促す、ように制御する制御手段と、を具備することを特徴とする情報処理装置としたものである。
【００１４】
請求項３に係る発明は、上記認証情報は、ＨＴＴＰヘッダ情報から得られる携帯端末固有の個体識別情報とパスワードとからなることを更なる特徴とする請求項１又は２のいずれかに記載の情報処理装置としたものである。
【００１５】
請求項４に係る発明は、上記記憶手段には、各サービスが決済機能を有するか否かを示す決済機能有無情報が上記サービス情報と関連付けて記憶されており、上記制御手段は、当該決済機能有無情報に基づいて携帯端末へ送信すべきカード情報が決済機能を有するか否かを判断し、カード情報が決済機能を有するカードに係るものである場合には第１の処理を施し、カード情報が決済機能を有しないカードに係るものである場合には第２の処理を施し、携帯端末へ送信するよう制御する、ことを更なる特徴とする請求項１乃至３のいずれかに記載の情報処理装置としたものである。
【００１６】
請求項５に係る発明は、上記記憶手段には、上記サービス情報に対応した決済先を示す決済先情報が上記サービス情報と関連付けて記憶されており、上記制御手段は、携帯端末へ送信すべきカード情報に関連する決済先情報が記憶されている場合には、当該決済先情報に基づいて所定の決済処理を更に行う、ことを更なる特徴とする請求項１乃至４のいずれかに記載の情報処理装置としたものである。
【００１７】
請求項６に係る発明は、上記所定の処理とは、カード情報に時間情報を付加した後に暗号化する処理をいい、上記制御手段は、当該暗号情報を上記通信手段を介して上記携帯端末に送信する、ことを更なる特徴とする請求項１乃至５のいずれかに記載の情報処理装置としたものである。
【００１８】
請求項７に係る発明は、携帯端末と通信自在な情報処理装置により、上記携帯端末からの認証情報と上記記憶手段に記憶された利用者情報とを照合し、両者が一致した場合には上記通信手段によりサービス選択画面のファイルを上記携帯端末に送信して、サービス選択情報の入力を促し、上記携帯端末からの選択済サービス情報を上記通信手段にて受信すると、当該選択済サービス情報に対応するカード情報に所定の処理を施した後、上記通信手段を介して上記携帯端末に送信して当該情報に基づく表示を促す、ことを特徴とする情報処理方法としたものである。
【００１９】
請求項８に係る発明は、携帯端末及びサーバと通信自在な情報処理装置により、上記携帯端末からの認証情報と利用者情報とを照合し、両者が一致した場合にはサービス選択画面のファイルを上記携帯端末に送信して、サービス選択情報の入力を促し、上記携帯端末からの選択済サービス情報を受信すると、当該選択済サービス情報により特定されるサーバに上記利用者情報に含まれる照合識別情報を送信し、上記サーバからの当該照合識別情報に対応するカード情報を受信すると、当該カード情報に所定の処理を施した後、上記携帯端末に送信して当該情報に基づく表示を促す、ことを特徴とする情報処理方法としたものである。
【００２０】
請求項９に係る発明は、上記認証情報は、ＨＴＴＰヘッダ情報から得られる携帯端末固有の個体識別情報とパスワードとからなることを更なる特徴とする請求項７又は８のいずれかに記載の情報処理方法としたものである。
【００２１】
請求項１０に係る発明は、上記情報処理装置により、各サービスが決済機能を有するか否かを示す決済機能有無情報を上記サービス情報と関連付けて記憶し、上記決済機能有無情報に基づいて携帯端末へ送信すべきカード情報が決済機能を有するか否かを判断し、カード情報が決済機能を有するカードに係るものである場合には第１の処理を施し、カード情報が決済機能を有しないカードに係るものである場合には第２の処理を施し、携帯端末へ送信するよう制御する、ことを更なる特徴とする請求項７乃至９のいずれかに記載の情報処理方法としたものである。
【００２２】
請求項１１に係る発明は、上記情報処理装置により、上記サービス情報に対応した決済先を示す決済先情報を上記サービス情報と関連付けて記憶し、上記携帯端末へ送信すべきカード情報に関連する決済先情報が記憶されている場合には、当該決済先情報に基づいて所定の決済処理を更に行う、ことを更なる特徴とする請求項７乃至１０のいずれかに記載の情報処理方法としたものである。
【００２３】
請求項１２に係る発明は、上記所定の処理とは、カード情報に時間情報を付加した後に暗号化する処理をいい、上記制御手段は、当該暗号情報を上記通信手段を介して上記携帯端末に送信する、ことを更なる特徴とする請求項７乃至１１のいずれかに記載の情報処理方法としたものである。
【００２４】
【発明の実施の形態】
以下、図面を参照して、本発明の実施の形態について説明する。
【００２５】
先ず、図１には本発明の第１の実施の形態に係る情報処理装置を適用した情報処理システムの概略を示し、その構成及び作用を説明する。
【００２６】
図１（ａ）に示されるように、携帯電話機１は、専用線又はインターネット等のネットワーク４を介してサービス提供者のサーバ２と通信自在に接続され、当該サーバ２は、カード発行会社等のサーバ３ｘ，３ｙ，３ｚ・・・と専用線５ｘ，５ｙ，５ｚ・・・を介して通信自在に接続されている。サーバ２はデータベース１１を有し、サーバ３ｘ，３ｙ，３ｚ・・・はデータベース１２ｘ，１２ｙ，１２ｚを有している。サーバ２は、実施の形態に係る情報処理装置に相当する。
【００２７】
この例では、サービス利用者が携帯電話機１を使用する場合を想定したが、これに限定されず、ノート型パーソナルコンピュータやＰＤＡ（Ｐｅｓｏｎａｌ　Ｄｉｇｉｔａｌ　Ａｓｓｉｓｔａｎｔ）等、種々のモバイル機器を採用することができる。
【００２８】
以上の構成により、携帯電話機１において暗号化されたカード情報をバーコードとして表示するまでの処理が実現される。この「カード情報」とは、クレジットカードや会員カード等といった各種カードのカード番号や各種記録情報（例えば、更新情報等）を含む広い概念を意味する。以下では、図１（ａ）のサーバ３ｘ，３ｙ，３ｚ・・・を符号３により総称し、専用線５ｘ，５ｙ，５ｚを符号５により総称し、更に説明を進める。携帯電話機１は、不図示ではあるが、制御部、表示部、通信部、記憶部、操作入力部を有している。サーバ２，３は、上記構成のほか、不図示ではあるが、制御部、通信部、記憶部等を有している。これら各部の詳細な構成は公知であるので説明は省略する。尚、請求項に記載の記憶手段とは、上記サーバ２のデータベース１１に相当し、通信手段はサーバ２の通信部に相当し、制御手段はサーバ２の制御部に相当する。
【００２９】
このような構成において、携帯電話機１は、ネットワーク４を介して、利用者情報をサーバ２に送信する。サーバ２は、この利用者情報を受信すると、データベース１１を参照して、所定の認証を行う。
【００３０】
この認証の後、サーバ２はサービス選択画面を携帯電話機１に送信する。利用者が、この画面に従ってサービスを選択すると、携帯電話機１は、ネットワーク４を介してサービス選択情報をサーバ２に送信する。
【００３１】
サーバ２は、当該選択済サービス情報に関連付けされた詳細は後述する照合識別情報を専用線５を介してカード発行会社等のサーバ３に送信する。サーバ３は当該照合識別情報に対応するカード情報をデータベース１２より読み出し、専用線５を介してサーバ２に送信する。こうしてサーバ２はカード情報を取得する。
【００３２】
尚、データベース１１にカード情報が記憶されている場合には、前述したようなサーバ３との通信は不要となることは勿論である。
【００３３】
サーバ２は、カード情報を暗号化し、暗号情報を生成し、更にバーコードデータとして、バーコードデータ（或いは暗号情報）をネットワーク４を介して携帯電話機１側に返送する。このカード情報の暗号化の際に時間情報を付加してもよく、更には時間情報を別途サーバ２内の不図示の記憶部に記憶し、有効性確認に用いる方法等を採用することもできることは勿論である。
【００３４】
こうして、携帯電話機１は、バーコードデータ（或いは暗号情報）を受信すると、バーコードを表示する。或いは、携帯電話機１は、不図示のメモリに暗号情報を記憶し、適宜読み出し、情報読取装置８と無線通信を行う。
【００３５】
一方、図１（ｂ）に示されるように、加盟店の情報読取装置８には変換部７を介してバーコードリーダ６が接続されている。このバーコードリーダ６及び変換部７の構成に換えて、或いは当該構成と共に、携帯電話機１との間で無線通信を実現する無線通信部９を採用することも可能である。このような無線通信部９を採用する場合には、携帯電話機１側にも同種の構成が必要となる。尚、情報読取装置８は、専用線１０１を介して、公知のカード会社等のサーバ１００と通信自在に接続されている。以上の構成により、携帯電話１において表示されたバーコードに基づく決済等の情報処理が実現されることになる。
【００３６】
このような構成において、店舗等の加盟店において、利用者がバーコードを表示した携帯電話機１を提示すると、バーコードリーダ６が当該バーコードを読み取る。そして、変換部７が、当該バーコードを暗号情報、更にはカード情報に変換し、情報読取装置８側に送信する。ここで、暗号情報に時間情報が付加されている場合には、当該時間情報に基づいて有効性が判断され、有効である場合にのみ情報読取装置８側に送られることになる。次いで、情報読取装置８は、カード情報を専用線１０１を介して公知のカード会社等のサーバ１００に送信する。
【００３７】
サーバ１００は、当該カード情報に基づいて所定の課金処理を行う。
【００３８】
尚、無線通信部９を採用する場合には、携帯電話機１は無線通信により暗号情報を無線通信部９に送信する。無線通信部９は、暗号情報を受信すると、当該暗号情報をカード情報に復号し、これ以降は上記同様の処理がなされる。
【００３９】
以上の説明において、バーコードには、１次元バーコード、２次元バーコード等、各種のものが含まれることは勿論である。尚、請求項に記載の第１の処理とは暗号化及び２次元バーコードへの変換を意味し、第２の処理とは１次元バーコードへの変換を意味するが、これに限定されないことは勿論である。
【００４０】
ここで、図２（ａ）乃至（ｃ）には、サーバ３ｘ，３ｙ，３ｚのデータベース１２ｘ，１２ｙ，１２ｚの記憶内容を示し説明する。
【００４１】
図２（ａ）はデータベース１２ｘの記憶内容を示しており、図２（ｂ）はデータベース１２ｙの記憶内容を示しており、図２（ｃ）はデータベース１２ｚの記憶内容を示している。これら図２（ａ）乃至（ｃ）において、ＩＤＬＭは利用者ＬのＭ社でのＩＤを意味しており、ＰＷＬＭは利用者ＬのＭ社でのパスワード（以下ＰＷと称する）を意味しており、ＣＩＬＭは利用者ＬのＭ社でのカード情報を意味しており、ＩＤＬはサーバ２利用時における利用者Ｌの照合識別情報を意味している。より詳細には、図２（ａ）に示されるように、データベース１２ｘは、利用者Ａ，Ｂ，ＣのＸ社でのＩＤ、ＰＷ、カード情報、照合識別情報を記憶している。図２（ｂ）に示されるように、データベース１２ｙは、利用者Ａ，Ｃ，ＤのＹ社でのＩＤ、ＰＷ、カード情報、照合識別情報を記憶している。図２（ｃ）に示されるように、データベース１２ｚは、利用者Ａ，Ｂ，ＤのＺ社でのＩＤ、ＰＷ、カード情報、照合識別情報を記憶している。このように、各カード発行会社等のサーバ３のデータベース１２には、各社毎のＰＷ及びＩＤとサーバ利用時における照合識別情報が対応付けられて記憶されているので、サーバ２からは照合識別情報を送信すればよく、各社毎のＰＷ，ＩＤを送信する必要はない。このような工夫により処理負担が軽減されている点は特徴点の一つである。
【００４２】
次に、図３にはサーバ２のデータベース１１の記憶内容を示し説明する。
【００４３】
図３において、ＩＤＡは利用者ＡのＩＤを意味し、ＰＷＡは利用者ＡのＰＷを意味し、ＰＡは利用者Ａの属性情報を意味し、ＳＡは利用者Ａの端末の個体識別情報を意味し、Ｘ，Ｙ，Ｚは利用者契約済みのサービス情報を意味している。ＩＤＢは利用者ＢのＩＤを意味し、ＰＷＢは利用者ＢのＰＷを意味し、ＰＢは利用者Ｂの属性情報を意味し、ＳＢは利用者Ｂの端末の個体識別情報を意味し、Ｘ，Ｚは利用者契約済みのサービス情報を意味している。ＩＤＣは利用者ＣのＩＤを意味し、ＰＷＣは利用者ＣのＰＷを意味し、ＰＣは利用者Ｃの属性情報を意味し、Ｘ，Ｙは利用者契約済みのサービス情報を意味している。ＩＤＤは利用者ＤのＩＤを意味し、ＰＷＤは利用者ＤのＰＷを意味し、ＰＤは利用者Ｃの属性情報を意味し、Ｙ，Ｚは利用者契約済みのサービス情報を意味している。これら記憶内容は、あくまでも一例であって、これらに限定されない。また、ＩＤＡ、ＩＤＢ、ＩＤＣは、サーバ３にとっての照合識別情報として位置づけられる。更に、例えばＩＤＡ、ＰＷＡは、利用者Ａの「利用者情報」に相当することになる。
【００４４】
以下、図４のフローチャートを参照して、第１の実施の形態に係る情報処理装置を採用した情報処理システムによる初期登録時の動作を詳細に説明する。この動作は第１の実施の形態に係る情報処理方法にも相当するものである。ここでは利用者Ａがカード会社Ｘのカードについて初期登録する場合を想定している。
【００４５】
利用者Ａが携帯電話機１にサービス提供者のサーバ２の提供するＷｅｂサイトのＵＲＬを入力し、サーバ２にアクセスすると（ステップＳ１）、サーバ２は、登録画面のファイルを読み出し、携帯電話機１に送信する（ステップＳ２）。携帯電話機１は、登録画面のファイルを受信すると、当該画面を表示する（ステップＳ３）。登録画面は、カード発行会社Ｘでの認証用のＩＤＡＸ（クレジットカード等の秘匿性の高いカードに関する登録の場合は氏名等）、カード発行会社Ｘでの認証用のパスワードＰＷＡＸ　、カード情報ＣＩＡＸ（例えば、カード番号や生年月日、有効期限、契約カード会社名等を含む）、利用者Ａ自身の属性情報ＰＡ（携帯電話番号や携帯電話メールアドレス、住所等）、サーバ２によるサービス利用情報としてのＩＤＡ　、ＰＷＡ等（以下、「登録情報」を称する）の入力枠を有している。
【００４６】
利用者Ａが、携帯電話機１に登録情報を入力し、サーバ２に送信すると（ステップＳ４）、サーバ２は、登録情報を分析し、カード会社Ｘのサーバ３ｘに専用線１０を介してカード情報ＣＩＡＸと照合識別情報ＩＤＡを送信すること照合要求を行う（ステップＳ５）。カード会社Ｘのサーバ３ｘは、このカード情報ＣＩＡＸと自社内のデータベース１２ｘ内の情報とを照合する。この照合の結果が正しければ、サーバ２に照合結果通知を送信する（ステップＳ６）。これと同時に、カード会社Ｘのサーバ３ｘは、データベース１２ｘ内の利用者Ａのレコードにあるカード情報ＣＩＡＸや他の情報に加えて照合識別情報ＩＤＡを追加し、カード情報ＣＩＡＸのカード番号と照合識別情報ＩＤＡが紐付けされるように、データベース１２ｘの記憶内容を更新することになる（ステップＳ７）。
【００４７】
サーバ２は、カード会社Ｘのサーバ３ｘからの照合結果通知を受信すると、データベース１１内に利用者Ａのレコードを生成し、利用者情報（ＩＤＡ　、ＰＷＡ等）や利用者Ａ自身の属性情報ＰＡ（携帯電話番号、携帯電話メールアドレス、住所等）、サービス情報Ｘを関連付けて記録する（ステップＳ８）。そして、利用者Ａに対して登録が完了した旨、更には確認メールが携帯電話機１宛に送信されることを示唆する結果通知画面のファイルを送信する（ステップＳ９）。更に、サーバ２は、携帯電話機１のメールアドレス宛に当該携帯電話機１からサーバ２へのアクセス用ＵＲＬを埋め込んだ確認メールを送信する（ステップＳ１１）。
【００４８】
携帯電話機１では、結果通知画面のファイルを受信すると、当該画面を表示し（ステップＳ１０）、更に上記確認メールを受信する（ステップＳ１２）。
【００４９】
そして、携帯電話機１にて登録用個人ＵＲＬが入力されてサーバ２にアクセスすると（ステップＳ１３）、サーバ２はＩＤＡ、ＰＷＡの入力枠を有する確認画面のファイルを読み出し、携帯電話機１に送信する（ステップＳ１４）。
【００５０】
この携帯電話機１は、この確認画面のファイルを受信すると当該確認画面を表示し、入力枠に従って利用者情報（ＩＤＡとＰＷＡ）が入力されるとサーバ２に送信する（ステップＳ１５）。サーバ２は、受信したＩＤＡとＰＷＡを既にデータベース１１に登録済みの利用者情報（ＩＤＡ　、ＰＷＡ）と照合し、ＯＫであれば、携帯電話機１からのパケットのＨＴＴＰヘッダ情報を分析し、端末の個体識別情報ＳＡが得られる場合、これをデータベース１１に記録すると共に、この利用者のレコードにサービス情報Ｘを登録する（ステップＳ１６）。これ以降、サービス提供者のサーバ２によるカード会社Ｘに係るサービスが開始されることになる。
【００５１】
以上と同様の手順によれば、利用者Ａが既に契約している他のＹ，Ｚ・・・社についてもサーバ２のデータベース１１に登録することができる。更に、他の利用者Ｂ，Ｃ，Ｄ…につても、同様の手順によれば契約済みのサービスをサーバ２のデータベース１１に登録することができる。その結果、データベース１１の記憶内容は、例えば先に図３に示したようになる。
【００５２】
次に、図５のフローチャートを参照して、第１の実施の形態に係る情報処理装置を採用したシステムによるサービス時の動作を詳細に説明する。この動作は第１の実施の形態に係る情報処理方法にも相当するものである。
【００５３】
ここでは、利用者Ａがカード会社Ｘのカード情報を携帯電話機１に表示して所定の決済等を行うための一連の処理を例に挙げて説明する。
【００５４】
携帯電話機１にてサーバ２のＷｅｂサイトのＵＲＬが入力され、サーバ２にアクセスすると（ステップＳ２１）、サービス提供者のサーバ２は、ＨＴＴＰヘッダ情報を参照し、その中に携帯電話機１の端末の個体識別情報ＳＡがある場合はＰＷ入力画面（図６（ａ）参照）、端末の個体識別情報ＳＡがない場合はＩＤとＰＷの入力画面（図６（ｂ）参照）のファイルを携帯電話機１に送信する（ステップＳ２２）。
【００５５】
携帯電話機１では、このＰＷ入力画面のファイルを受信すると、当該ＰＷ入力画面を表示する（ステップＳ２３）。そして、利用者ＡによりＩＤＡとＰＷＡが入力されると、携帯電話機１はＩＤＡ及びＰＷＡ、或いは端末の個体識別情報ＳＡがある場合はＰＷＡをサーバ２に送信する（ステップＳ２４）。
【００５６】
このＩＤＡ及びＰＷＡは、データベース１１に記憶されている利用者情報に相当するものであるが、請求項では、データベース１１に記憶されている利用者情報を区別する都合上、「認証情報」と称している。
【００５７】
サーバ２は、ＩＤＡ、ＰＷＡを受信すると、ＩＤＡとＰＷＡによって、或いは携帯電話機１の個体識別情報ＳＡとＰＷＡによって、サーバ２のデータベース１１内のＩＤＡとＰＷＡとを、或いはＳＡとＰＷＡとを照合し、ユーザの認証を行う（ステップＳ２５）。そして、この認証の結果、利用者情報と認証情報とが一致する場合には、サーバ２は、データベース１１を検索し、ＩＤＡ又はＳＡに紐付けられた提供可能サービスを確定することになる（ステップＳ２６）。
【００５８】
こうして、サーバ２は、確定された提供可能なサービス情報に基づき、選択画面（図６（ｃ）参照）を構成し、当該選択画面のファイルを携帯電話機１に送信する（ステップＳ２７）。そして、携帯電話機１は、選択画面のファイルを受信すると、当該選択画面を表示することになる（ステップＳ２８）。
【００５９】
ここで、この選択画面は、図７に示されるように、利用者による契約済みのサービス情報Ｘ，Ｙ，Ｚに対応したものとなっている。即ち、この例では、サービス情報Ｘに対応する「ＸＸＸＸ」、サービス情報Ｙに対応する「ＹＹＹＹ」、サービス情報Ｚに対応する「ＺＺＺＺ」の選択肢が表示されている。
【００６０】
利用者により、これら選択肢の中から所望とするサービスに係る選択肢が選択され、送信ボタンが押されると、携帯電話機１はサービス選択情報をサーバ２に送信する（ステップＳ２９）。サーバ２は、選択済サービス情報を受信すると、所望とされているサービスのサービス情報を特定し、対応する利用者ＡのＩＤＡ（照合識別情報）をカード会社等のサーバ３に専用線１０を介して送信する（ステップＳ３０）。そして、カード会社等のサーバ３は、利用者ＡのＩＤＡを受信すると、データベース１２より当該ＩＤＡと関連付けて記憶されているカード情報ＣＩＡＸを読み出して専用線１０を介してサーバ２に送信する（ステップＳ３１）。
【００６１】
尚、この例では、カード情報ＣＩＡＸをＸ社のデータベース１２ｘから抽出する方法を例示したが、これに限定されず、サーバ２のデータベース１１にカード情報ＣＩＡＸを記録し、これを引き出す方式を採用することもできる。この場合、サーバ２は、データベース１１に予め記憶されている複数のカード情報の中から上記選択済サービス情報に対応するカード情報を読み出すことになる。
【００６２】
続いて、サービス提供者のサーバ２では、カード情報ＣＩＡＸを受信すると（ステップＳ３２）、上記カード情報に時間情報を付加して付加情報を生成し、公開鍵方式等により当該付加情報を暗号鍵により暗号化して暗号情報を生成し、当該暗号情報を更にワンタイムバーコードデータに変換し（ステップＳ３３）、利用者Ａの携帯電話機１に送信する（ステップＳ３４）。
【００６３】
そして、携帯電話機１は、このワンタイムバーコードデータを受信すると、２次元データ表示画面を表示する（ステップＳ３５）。
【００６４】
ここで、この２次元データ表示画面は、図６（ｄ）に示される通りである。
【００６５】
即ち、この表示例では、２次元データ表示画面には、例えば、認証完了後の動作を示唆する「認証できました。下記の２次元バーコードを加盟店に提示してください。」とのコメントと、２次元バーコードとが表示される。
【００６６】
この２次元データ表示画面は、この例に限定されるものでない。
【００６７】
即ち、例えば上記認証完了の動作を示唆するコメントは上記例に限定されるものではなく、また、表示させないようにすることも可能である。
【００６８】
こうして、利用者Ａが店舗等の加盟店に出向き、当該加盟店において携帯電話機１を提示すると、加盟店の情報読取装置８のバーコードリーダ６が２次元バーコードを読み取る（ステップＳ３６）。情報読取装置８は、２次元データを暗号情報に変換し、当該暗号情報を復号鍵により暗号化前の付加情報に復号する（ステップＳ３７）。そして、情報読取装置８は、付加情報に含まれる時間情報に基づいて情報の有効性を判断する（ステップ３８）。この第１の実施の形態に係る情報処理装置及び方法では、復号のタイミング（時間）が時間情報に係る時間よりも先であれば当該情報が有効なものと判断するが、これに限定されない。
【００６９】
こうして、情報読取装置８は、情報が有効なものであると判断すると、カード情報をカード会社等のサーバ１００に送信する（ステップＳ３９）。サーバ１００では、選択情報等をサーバ２に送信する（ステップＳ４０）。これ以降、所定の課金処理がなされる。尚、この課金処理については、公知の技術を採用することができるので、これ以上の詳細な説明は省略する。以上と同様の手順で、利用者Ａが既に契約している他のＹ，Ｚ・・・社のカード情報に基づいた処理を行うことができる。更に、他の利用者Ｂ，Ｃ，Ｄ…につても同様に、各々が契約済みのカードに係るカード情報に基づいた処理を行うことができる。
【００７０】
以上説明した第１の実施の形態では、初期登録により利用者が有する各種カードのカード情報等をサービス提供者のデータベース１１に登録しておけば、利用者は携帯電話機１等で使用を所望とするカードを選択するだけで、カード情報に係るバーコード表示が携帯電話機１においてなされるので、利用者は当該バーコードを店舗等の加盟店において提示するのみで、各種カードとして携帯電話機１を使用することが可能となる。このとき、サービス提供者のサーバ２は、クレジットカードのような決済機能を有する秘匿性の高いカードのカード情報と、会員カードのような決済機能を有しない秘匿性の低いカードのカード情報のいずれについても、１つのＵＲＬによるアクセス、簡易な同一の操作手順、更には携帯電話機によるアクセス時に得られるヘッダ情報に基づいた簡易な認証により適宜読み出し迅速に送信可能とする。
【００７１】
次に本発明の第２の実施の形態について説明する。
【００７２】
尚、第２の実施の形態に係る情報処理装置の構成については、先に図１で説明した第１の実施の形態と同様であるので、重複した説明は省略する。
【００７３】
前述した第１の実施の形態では、図４のステップＳ１６において、サーバ２が受信したＩＤＡとＰＷＡを既にデータベース１１に登録済みの利用情報（ＩＤＡやＰＷＡ）と照合し、ＯＫであれば、携帯電話機１からのパケットのＨＴＴＰヘッダ情報を分析し、端末の個体識別情報ＳＡが得られる場合に、これをデータベース１１に記録すると共に、この利用者のレコードにサービス情報Ｘを登録していたが、この第２の実施の形態では、図８に示されるような記憶内容がデータベース１１に登録される点に特徴を有している。
【００７４】
即ち、第２の実施の形態では、サービス情報Ｘの付帯情報として決済機能有無の情報ＦＸをデータベース１１に登録する。そして、決済機能有無情報ＦＸを用いて、例えば決済機能のないサービスの場合はカード情報をセキュリティ機能が低い一次元バーコードで表示し、決済機能のあるサービスの場合はセキュリティ機能が高い二次元バーコードで表示する等して、ユーザからの操作が決済機能付の場合でも、決済機能無の場合でも、同一の動作で行えるようにしている。
【００７５】
以上説明した第２の実施の形態では、決済機能有無情報ＦＸを用いて表示処理を切り換えることで、セキュリティ機能が低い会員カード等のカード情報については、より汎用された手段を用いた簡易な処理で再生可能な一次元バーコードを表示可能とし、情報読取装置を導入する店舗側の負担を軽減している。また、１次元バーコード、２次元バーコードのいずれを表示するかは、サーバ２による判断に委ねられるので、利用者はいずれの場合も同様の手順で初期登録をし、同様の手順でカード情報の携帯電話機１による表示を行えばよいので、利用者に課せられる負担も第１の実施の形態と相違するところはない。
【００７６】
次に本発明の第３の実施の形態について説明する。
【００７７】
尚、第３の実施の形態に係る情報処理装置の構成については、先に図１で説明した第１の実施の形態と同様であるので、重複した説明は省略する。
【００７８】
前述した第１の実施の形態では、図４のステップＳ１６において、サーバ２が受信したＩＤＡとＰＷＡを既にデータベース１１に登録済みの利用情報（ＩＤＡやＰＷＡ）と照合し、ＯＫであれば、携帯電話機１からのパケットのＨＴＴＰヘッダ情報を分析し、端末の個体識別情報ＳＡが得られる場合に、これをデータベース１１に記録すると共に、この利用者のレコードにサービス情報Ｘを登録していた。
【００７９】
これに対して、この第３の実施の形態では、図９に示されるような記憶内容がデータベース１１に登録される点に特徴を有する。即ち、この第３の実施の形態では、決済機能のあるカードのサービス情報については、当該サービス情報に対応する決済先情報ＸＳ、ＹＳ、ＺＳをデータベース１１に登録する。
【００８０】
図９において、利用者Ａはサービス情報Ｘに対応する決済先情報ＸＳ、サービス情報Ｙに対応する決済先情報ＹＳ、サービス情報Ｚに対応する決済先情報ＺＳを登録している。利用者Ｂは、サービス情報Ｘに対応する決済先情報ＸＳを登録しているが、サービス情報Ｙに対応する決済先情報は登録していない。この場合、サービス情報Ｙに係るサービスについては連動サービスがなされない。
【００８１】
利用者Ｃは、サービス情報Ｙに対応する決済先情報ＹＳを登録しているが、サービス情報Ｘに係るサービスの決済先情報は登録していない。従って、この場合には、サービス情報Ｘに係るサービスについては連動サービスがなされない。利用者Ｄは、サービス情報Ｙ，Ｚを指定しているが、いずれのサービス情報に対応する決済先情報は登録していない。従って、この場合には、いずれのサービス情報に係るサービスについても連動サービスがなされない。
【００８２】
以下、図１０のフローチャートを参照して、第３の実施の形態に係る情報処理装置を採用したシステムによるサービス時の動作を詳細に説明する。この動作は第３の実施の形態に係る情報処理方法にも相当するものである。
【００８３】
ここでは、利用者Ａが決済機能のない店舗の会員番号を携帯電話機１に表示して予め指定したカード会社Ｘのカード情報で決済等を行うための一連の処理を例に挙げて説明する。
【００８４】
利用者Ａが店舗等の加盟店に出向き、当該加盟店において携帯電話機１を提示すると（ステップＳ５１）、加盟店の情報読取装置８のバーコードリーダ６がバーコードを読み取る（ステップＳ５２）。情報読取装置８は、２次元データを暗号情報に変換し、更に当該暗号情報を復号鍵により暗号化前の付加情報に復号し、情報読取装置８は、付加情報に含まれる時間情報に基づいて情報の有効性を判断する。こうして、情報読取装置８は、情報が有効なものであると判断すると、店舗の会員番号を本社に送信する（ステップＳ５３）。尚、本社を介さずに、店舗等の加盟店より会員番号の情報を直接サーバ２に送信してもよいことは勿論である。
【００８５】
本社は、この会員番号の情報を受けると、当該会員番号の情報に含まれるサービス情報Ｘに対応する決済先情報ＸＳをサービス提供者のサーバ２に送信することで精算依頼を行う（ステップＳ５３）。サーバ２では、決済先情報ＸＳによる指定を確認すると（ステップＳ５４）、当該ＸＳに対応するＩＤＡをカード会社等（ここではカード会社Ｘ）に送信する（ステップＳ５５）。
【００８６】
カード会社Ｘは、このＩＤＡを受信すると、当該ＩＤＡに対応するカード情報ＣＩＡをサーバ２に送信する（ステップＳ５６）。サーバ２は、このカード情報ＣＩＡを本社に送信し（ステップＳ５７）、本社は更に店舗等の加盟店に転送し（ステップＳ５８）、こうして店舗等の加盟店はカード情報ＣＩＡを受信する（ステップＳ５９）。これ以降、所定の課金処理がなされることになる。
【００８７】
尚、この課金処理については、公知の技術を採用することができるので、これ以上の詳細な説明は省略する。以上と同様の手順で、利用者Ａが既に契約している他のＹ，Ｚ・・・社のカード情報に基づいた処理を行うことができる。
【００８８】
更に、他の利用者Ｂ，Ｃ，Ｄ…につても同様に、各々が契約済みのカードに係るカード情報に基づいた処理を行うことができる。
【００８９】
以上説明した第３の実施の形態では、サービス提供者のサーバ２のデータベース１１にサービス情報に対応する決済先情報を登録可能としているので、決済先情報が登録されているサービスについては、サーバ２による情報処理により自動的に連動サービスが提供されることになる。即ち、利用者が店舗等において提示するバーコードに含まれているサービス情報Ｘに対応する決済先情報がデータベース１１に登録されていれば、会員認証等のほか、料金の精算等も一の手続（一度、バーコードを提示するだけ）で自動的になされることから、利用者による利便性が高まるといった効果が奏される。
【００９０】
以上詳述したように、本発明の実施の形態によれば、サービス情報を携帯電話機１からアクセスできるサーバ２のデータベース１１に一括して登録し、このデータベース１１にアクセスする段階でサーバ２による認証を取ることでサービス情報毎（カード会社毎）の認証を取らずに済むので、利用者による操作負担が軽減され、利便性が高まることになる。
【００９１】
更に、サービス情報を記憶するデータベース１１内にそのサービス情報が決済機能のあるものか否かを示すフィールドを設け、カード情報に係るバーコードを携帯電話機１に表示する際に、当該フィールド内の情報に基づいて表示するまでの処理を選択する構成とし、ユーザからの操作が決済機能付の場合でも決済機能がついていないカードでも全く同一の操作で行えるようにして、利用者による利便性を向上している。
【００９２】
また、携帯電話機１によるサーバ２へのアクセス時に得られるＨＴＴＰヘッダ情報を用い、ＨＴＴＰヘッダ情報から携帯電話機の個体識別情報が得られる場合はその個体識別情報とユーザが入力するパスワードで認証し、ＨＴＴＰヘッダ情報から携帯電話機の個体識別情報が得られない場合はユーザが入力するＩＤ情報とパスワードで認証するようにし、個体識別情報が発行される新機種ではユーザＩＤの入力をしなくてもよい構成とすることで、更に利便性を高めると共に、ユーザ認証をより確実に行うことができる。
【００９３】
そして、従前は個別に覚えなければならなかったカード情報を表示するためのアクセスＵＲＬやカード情報毎のＰＷやカード毎に異なる操作手法等を統一化することができ、１つのＵＲＬへのアクセス、一種類の操作手順、一度のＰＷ入力で、複数のカード情報を表示させることを可能とした。また、秘匿性が高いクレジットカードのようなカード情報と、秘匿性が低い会員カードのようなカード情報であっても混在させて使用することを可能とした。
【００９４】
以上、本発明の実施の形態について説明したが、本発明はこれに限定されることなく、その趣旨を逸脱しない範囲で種々の改良・変更が可能である。
【００９５】
例えば、上記カード情報と関連付けて記憶する情報は、上述したもの、例えば決済機能有無情報、決済先情報等に限定されるものではなく、例えばポイント情報やクーポン情報等、種々の情報を関連付けて記憶することも可能である。
【００９６】
尚、本発明には、以下の如き内容も含まれる。
【００９７】
第１に、通信手段、記憶手段、制御手段を有し、携帯端末及びサーバと通信自在な情報処理装置による情報処理方法であって、上記制御手段が、上記携帯端末からの認証情報と上記記憶手段に記憶された利用者情報とを照合し、両者が一致した場合にはサービス選択画面のファイルを上記通信手段を介して上記携帯端末に送信して、サービス選択情報の入力を促し、上記携帯端末からの選択済サービス情報を上記通信手段にて受信すると、当該選択済サービス情報により特定されるサーバに上記利用者情報に含まれる照合識別情報を上記通信手段より送信し、上記サーバからの当該照合識別情報に対応するカード情報を上記通信手段にて受信すると、当該カード情報に所定の処理を施した後、上記通信手段により上記携帯端末に送信して当該情報に基づく表示を促すよう制御する、ことを特徴とする情報処理方法、である。
【００９８】
そして、この方法は、各カードが決済機能を有するか否かを示す決済機能有無情報を上記サービス情報と関連付けて上記記憶手段に記憶し、上記制御手段により、上記決済機能有無情報に基づいて携帯端末へ送信すべきカード情報が決済機能を有するか否かを判断し、カード情報が決済機能を有するカードに係るものである場合には第１の処理を施し（例えば、２次元バーコードデータに変換）、カード情報が決済機能を有しないカードに係るものである場合には第２の処理を施し（例えば、１次元バーコードデータに変換）、携帯端末へ送信するよう制御することもできる。また、これら方法は、上記サービス情報に対応した決済先を示す決済先情報を上記サービス情報と関連付けて上記記憶手段に記憶し、上記制御手段により上記携帯端末へ送信すべきカード情報に関連する決済先情報が記憶されている場合には、当該決済先情報に基づいて所定の決済処理を更に行うように制御することもできる。これら方法について、上記所定の処理とは、カード情報に時間情報を付加した後に暗号化する処理をいい、上記制御手段は、当該暗号情報を上記通信手段を介して上記携帯端末に送信するように制御することもできる。
【００９９】
第２に、通信手段、記憶手段、制御手段を有し、携帯端末及びサーバと通信自在な情報処理装置を、上記制御手段により、上記携帯端末からの認証情報と上記記憶手段に記憶された利用者情報とを照合し、両者が一致した場合にはサービス選択画面のファイルを上記通信手段を介して上記携帯端末に送信して、サービス選択情報の入力を促し、上記携帯端末からの選択済サービス情報を上記通信手段にて受信すると、当該選択済サービス情報により特定されるサーバに上記利用者情報に含まれる照合識別情報を上記通信手段より送信し、上記サーバからの当該照合識別情報に対応するカード情報を上記通信手段にて受信すると当該カード情報に所定の処理を施した後、上記通信手段により上記携帯端末に送信して当該情報に基づく表示を促すよう制御するプログラム、である。
【０１００】
そして、このプログラムは、各サービスが決済機能を有するか否かを示す決済機能有無情報を上記サービス情報と関連付けて上記記憶手段に記憶し、上記制御手段により、上記決済機能有無情報に基づいて携帯端末へ送信すべきカード情報が決済機能を有するか否かを判断し、カード情報が決済機能を有するカードに係るものである場合には第１の処理を施し（例えば、２次元バーコードデータに変換）、カード情報が決済機能を有しないカードに係るものである場合には第２の処理を施し（例えば、１次元バーコードデータに変換）、携帯端末へ送信するよう制御することもできる。更に、これらプログラムは、上記カード情報に対応した決済先を示す決済先情報を上記サービス情報と関連付けて上記記憶手段に記憶し、上記制御手段により上記携帯端末へ送信すべきカード情報に関連する決済先情報が記憶されている場合には、当該決済先情報に基づいて所定の決済処理を更に行うように制御することもできる。また、これらプログラムについて、上記所定の処理とは、カード情報に時間情報を付加した後に暗号化する処理をいい、上記制御手段は、当該暗号情報を上記通信手段を介して上記携帯端末に送信するように制御することもできる。
【０１０１】
【発明の効果】
以上詳述したように、本発明によれば、既存のシステムを大きく変更することなく、簡易な構成を付加するだけで、効果的な不正使用防止機能を実現し、セキュリティを向上させつつ、利用者が携帯電話機を複数のカードの代用として店舗等において利用可能とする等、利用者の利便性や利用者の個人情報の秘匿性を向上させる情報処理装置及び情報処理方法を提供することができる。
【０１０２】
更には、クレジットカードのような決済機能を有する秘匿性の高いカードのカード情報と、会員カードのような決済機能を有しない秘匿性の低いカードのカード情報のいずれについても、１つのＵＲＬによるアクセス、同一の操作手順、更には携帯電話機によるアクセス時に得られるヘッダ情報に基づいた簡易な認証により適宜読み出し、送信可能とする情報処理装置及び情報処理方法を提供することができる。また、カード情報の決済機能の有無（秘匿性の高低）に基づいて表示態様も自動的に定まるように制御する情報処理装置及び情報処理方法を提供することができる。以上のほか、利用者が店舗等において決済機能を有しない会員カード等に係る処理を行う場合に、決済機能を有するクレジットカード等に係る決済処理を所望とするときに、一の操作で会員カード等の利用及びクレジットカード等による決済処理を簡易且つ迅速に実現する情報処理装置及び情報処理方法を提供することができる。
【図面の簡単な説明】
【図１】（ａ）は第１の実施の形態に係る情報処理装置を適用した情報処理システムの構成を示す図であり、（ｂ）は情報読取装置８周辺の構成を示す図である。
【図２】（ａ）はデータベース１２ｘの記憶内容を示す図であり、（ｂ）はデータベース１２ｙの記憶内容を示す図であり、（ｃ）はデータベース１２ｚの記憶内容を示す図である。
【図３】サーバ２のデータベース１１の記憶内容を示す図である。
【図４】第１の実施の形態に係る情報処理装置を採用したシステムによる初期登録時の動作を詳細に説明するためのフローチャートである。
【図５】第１の実施の形態に係る情報処理装置を採用したシステムによるサービス時の動作を詳細に説明するためのフローチャートである。
【図６】（ａ）はＰＷ入力画面を示す図であり、（ｂ）はＩＤ、ＰＷ入力画面を示す図であり、（ｃ）は選択画面を示す図であり、（ｄ）は２次元データ表示画面を示す図である。
【図７】選択画面を設定について説明するための図である。
【図８】第２の実施の形態において、データベース１１に決済機能有無情報を更に記憶した場合の記憶内容を示す図である。
【図９】第３の実施の形態において、データベース１１に決済先情報を更に記憶した場合の記憶内容を示す図である。
【図１０】第３の実施の形態に係る情報処理装置を採用したシステムによるサービス時の動作を詳細に説明するためのフローチャートである。
【符号の説明】
１　携帯電話機
２　サーバ
３　サーバ
４　ネットワーク
５　専用線
６　バーコードリーダ
７　変換器
８　情報読取装置
９　無線通信部
１１　データベース
１２　データベース
【図１】
2004021311.tif 000003
【図２】
2004021311.tif 000004
【図３】
2004021311.tif 000005
【図４】
2004021311.tif 000006
【図５】
2004021311.tif 000007
【図６】
2004021311.tif 000008
【図７】
2004021311.tif 000009
【図８】
2004021311.tif 000010
【図９】
2004021311.tif 000011
【図１０】
2004021311.tif 000012
【手続補正書】
【提出日】平成15年6月5日(2003.6.5)
【手続補正１】
【補正対象書類名】明細書
【補正対象項目名】特許請求の範囲
【補正方法】変更
【補正の内容】
【特許請求の範囲】
【請求項１】
少なくとも携帯端末及びサーバと通信する通信手段と、
少なくとも上記携帯端末の利用者情報とサービス情報を複数記憶する記憶手段と、
初期登録時においては、受信したパケットのＩＤとパスワードを上記記憶手段の利用者情報と照合し、その結果、認証された場合には上記パケットのＨＴＴＰヘッダ情報を分析して当該端末の個体識別情報を上記記憶手段に登録し、
サービス時においては、ＩＤとパスワード、或いは端末の個体識別情報とパスワードとのいずれかの組によって認証を行い、認証された場合には、上記ＩＤ又は個体識別情報に関係付けられたサービス情報を確定する、制御手段と、
を具備することを特徴とする情報処理装置。
【請求項２】
上記制御手段は、上記サービス情報により特定されるサーバに上記通信手段を介して上記利用者情報に含まれる照合識別情報を送信し、上記サーバからの当該照合識別情報に対応するカード情報を上記通信手段にて受信し、当該カード情報に所定の処理を施した後、上記通信手段を介して上記携帯端末に送信して所定の表示を促す、ことを更なる特徴とする請求項１に記載の情報処理装置。
【請求項３】
上記制御手段は、上記所定の処理として、カード情報が決済機能を有する秘匿性の高いカードに係るものである場合には当該カード情報を２次元バーコードとする処理を施し、カード情報が決済機能を有しない秘匿性が低いカードに係るものである場合には１次元バーコードとする処理を施す、ことを更なる特徴とする請求項１又は２に記載の情報処理装置。
【請求項４】
情報処理装置と情報読取装置とを有する情報処理システムにおいて、
上記情報処理装置は、
少なくとも携帯端末及びサーバと通信する通信手段と、
少なくとも上記携帯端末の利用者情報とサービス情報を複数記憶する記憶手段と、
初期登録時においては、受信したパケットのＩＤとパスワードを上記記憶手段の利用者情報と照合し、その結果、認証された場合には上記パケットのＨＴＴＰヘッダ情報を分析して当該端末の個体識別情報を上記記憶手段に登録し、
サービス時においては、ＩＤとパスワード、或いは端末の個体識別情報とパスワードとのいずれかの組によって認証を行い、認証された場合には、上記ＩＤ又は個体識別情報に関係付けられたサービス情報を確定し、上記サービス情報により特定されるサーバに上記通信手段を介して上記利用者情報に含まれる照合識別情報を送信し、上記サーバからの当該照合識別情報に対応するカード情報を上記通信手段にて受信し、当該カード情報に所定の処理を施した後、上記通信手段を介して上記携帯端末に送信して所定の表示を促す、制御手段と、
を有しており、
上記情報読取装置は、バーコードリーダを具備しており、当該バーコードリーダで上記携帯端末の所定の表示を読み取り、得られたカード情報に基づいた情報処理を行う、
ことを特徴とする情報処理システム。
ことを更なる特徴とする請求項１に記載の情報処理装置。
【請求項５】
上記制御手段は、上記所定の処理として、カード情報が決済機能を有する秘匿性の高いカードに係るものである場合には当該カード情報を２次元バーコードとする処理を施し、カード情報が決済機能を有しない秘匿性が低いカードに係るものである場合には１次元バーコードとする処理を施す、ことを更なる特徴とする請求項４に記載の情報処理システム。
【請求項６】
上記情報読取装置は、上記カード情報が決済機能を有する秘匿性の高いカードに係るものである場合には、当該カード情報をカード会社のサーバに送信し、課金処理を促す、ことを更なる特徴とする請求項４又は５のいずれかに記載の情報処理システム。
【請求項７】
携帯端末とサーバと通信自在な情報処理装置による情報処理方法であって、制御手段により、
初期登録時においては、受信したパケットのＩＤとパスワードを記憶手段の利用者情報と照合し、その結果、認証された場合には上記パケットのＨＴＴＰヘッダ情報を分析して当該端末の個体識別情報を記憶手段に登録し、
サービス時においては、ＩＤとパスワード、或いは端末の個体識別情報とパスワードとのいずれかの組によって認証を行い、認証された場合には、上記ＩＤ又は個体識別情報に関係付けられたサービス情報を確定する、
ことを特徴とする情報処理方法。
【請求項８】
上記制御手段により、
上記サービス情報により特定されるサーバに上記通信手段を介して上記利用者情報に含まれる照合識別情報を送信し、上記サーバからの当該照合識別情報に対応するカード情報を上記通信手段にて受信し、当該カード情報に所定の処理を施した後、上記通信手段を介して上記携帯端末に送信して所定の表示を促す、
ことを更なる特徴とする請求項７に記載の情報処理方法。
【請求項９】
上記制御手段により、
上記所定の処理として、カード情報が決済機能を有する秘匿性の高いカードに係るものである場合には当該カード情報を２次元バーコードとする処理を施し、カード情報が決済機能を有しない秘匿性が低いカードに係るものである場合には１次元バーコードとする処理を施す、
ことを更なる特徴とする請求項７又は８に記載の情報処理方法。
【請求項１０】
情報処理装置と情報読取装置とを有する情報処理システムによる情報処理方法において、
上記情報処理装置により、
初期登録時においては、受信したパケットのＩＤとパスワードを上記記憶手段の利用者情報と照合し、その結果、認証された場合には上記パケットのＨＴＴＰヘッダ情報を分析して当該端末の個体識別情報を上記記憶手段に登録し、
サービス時においては、ＩＤとパスワード、或いは端末の個体識別情報とパスワードとのいずれかの組によって認証を行い、認証された場合には、上記ＩＤ又は個体識別情報に関係付けられたサービス情報を確定し、上記サービス情報により特定されるサーバに上記通信手段を介して上記利用者情報に含まれる照合識別情報を送信し、上記サーバからの当該照合識別情報に対応するカード情報を上記通信手段にて受信し、当該カード情報に所定の処理を施した後、上記通信手段を介して上記携帯端末に送信して所定の表示を促し、
上記情報読取装置により、
バーコードリーダで上記携帯端末の所定の表示を読み取り、得られたカード情報に基づいた情報処理を行う、
ことを特徴とする情報処理方法。
【請求項１１】
上記所定の処理として、カード情報が決済機能を有する秘匿性の高いカードに係るものである場合には当該カード情報を２次元バーコードとする処理を施し、カード情報が決済機能を有しない秘匿性が低いカードに係るものである場合には１次元バーコードとする処理を施す、ことを更なる特徴とする請求項１０に記載の情報処理方法。
【請求項１２】
上記情報読取装置により、上記カード情報が決済機能を有する秘匿性の高いカードに係るものである場合には、当該カード情報をカード会社のサーバに送信し、課金処理を促す、ことを更なる特徴とする請求項１０又は１１のいずれかに記載の情報処理方法。
【手続補正２】
【補正対象書類名】明細書
【補正対象項目名】００１２
【補正方法】変更
【補正の内容】
【００１２】
【課題を解決するための手段】
上記目的を達成するために、請求項１に係る発明は、少なくとも携帯端末及びサーバと通信する通信手段と、少なくとも上記携帯端末の利用者情報とサービス情報を複数記憶する記憶手段と、初期登録時においては、受信したパケットのＩＤとパスワードを上記記憶手段の利用者情報と照合し、その結果、認証された場合には上記パケットのＨＴＴＰヘッダ情報を分析して当該端末の個体識別情報を上記記憶手段に登録し、サービス時においては、ＩＤとパスワード、或いは端末の個体識別情報とパスワードとのいずれかの組によって認証を行い、認証された場合には、上記ＩＤ又は個体識別情報に関係付けられたサービス情報を確定する、制御手段と、を具備することを特徴とする情報処理装置としたものである。　請求項２に係る発明は、上記制御手段は、上記サービス情報により特定されるサーバに上記通信手段を介して上記利用者情報に含まれる照合識別情報を送信し、上記サーバからの当該照合識別情報に対応するカード情報を上記通信手段にて受信し、当該カード情報に所定の処理を施した後、上記通信手段を介して上記携帯端末に送信して所定の表示を促す、ことを更なる特徴とする請求項１に記載の情報処理装置としたものである。
請求項３に係る発明は、上記制御手段は、上記所定の処理として、カード情報が決済機能を有する秘匿性の高いカードに係るものである場合には当該カード情報を２次元バーコードとする処理を施し、カード情報が決済機能を有しない秘匿性が低いカードに係るものである場合には１次元バーコードとする処理を施す、ことを更なる特徴とする請求項１又は２に記載の情報処理装置としたものである。
請求項４に係る発明は、情報処理装置と情報読取装置とを有する情報処理システムにおいて、上記情報処理装置は、少なくとも携帯端末及びサーバと通信する通信手段と、少なくとも上記携帯端末の利用者情報とサービス情報を複数記憶する記憶手段と、初期登録時においては、受信したパケットのＩＤとパスワードを上記記憶手段の利用者情報と照合し、その結果、認証された場合には上記パケットのＨＴＴＰヘッダ情報を分析して当該端末の個体識別情報を上記記憶手段に登録し、サービス時においては、ＩＤとパスワード、或いは端末の個体識別情報とパスワードとのいずれかの組によって認証を行い、認証された場合には、上記ＩＤ又は個体識別情報に関係付けられたサービス情報を確定し、上記サービス情報により特定されるサーバに上記通信手段を介して上記利用者情報に含まれる照合識別情報を送信し、上記サーバからの当該照合識別情報に対応するカード情報を上記通信手段にて受信し、当該カード情報に所定の処理を施した後、上記通信手段を介して上記携帯端末に送信して所定の表示を促す、制御手段と、を有しており、上記情報読取装置は、バーコードリーダを具備しており、当該バーコードリーダで上記携帯端末の所定の表示を読み取り、得られたカード情報に基づいた情報処理を行う、ことを特徴とする情報処理システムとしたものである。
請求項５に係る発明は、上記制御手段は、上記所定の処理として、カード情報が決済機能を有する秘匿性の高いカードに係るものである場合には当該カード情報を２次元バーコードとする処理を施し、カード情報が決済機能を有しない秘匿性が低いカードに係るものである場合には１次元バーコードとする処理を施す、ことを更なる特徴とする請求項４に記載の情報処理システムとしたものである。請求項６に係る発明は、上記情報読取装置は、上記カード情報が決済機能を有する秘匿性の高いカードに係るものである場合には、当該カード情報をカード会社のサーバに送信し、課金処理を促す、ことを更なる特徴とする請求項４又は５のいずれかに記載の情報処理システムとしたものである。
請求項７に係る発明は、携帯端末とサーバと通信自在な情報処理装置による情報処理方法であって、制御手段により、初期登録時においては、受信したパケットのＩＤとパスワードを記憶手段の利用者情報と照合し、その結果、認証された場合には上記パケットのＨＴＴＰヘッダ情報を分析して当該端末の個体識別情報を記憶手段に登録し、サービス時においては、ＩＤとパスワード、或いは端末の個体識別情報とパスワードとのいずれかの組によって認証を行い、認証された場合には、上記ＩＤ又は個体識別情報に関係付けられたサービス情報を確定する、ことを特徴とする情報処理方法としたものである。
請求項８に係る発明は、上記制御手段により、上記サービス情報により特定されるサーバに上記通信手段を介して上記利用者情報に含まれる照合識別情報を送信し、上記サーバからの当該照合識別情報に対応するカード情報を上記通信手段にて受信し、当該カード情報に所定の処理を施した後、上記通信手段を介して上記携帯端末に送信して所定の表示を促す、ことを更なる特徴とする請求項７に記載の情報処理方法としたものである。
請求項９に係る発明は、上記制御手段により、上記所定の処理として、カード情報が決済機能を有する秘匿性の高いカードに係るものである場合には当該カード情報を２次元バーコードとする処理を施し、カード情報が決済機能を有しない秘匿性が低いカードに係るものである場合には１次元バーコードとする処理を施す、ことを更なる特徴とする請求項７又は８に記載の情報処理方法としたものである。
請求項１０に係る発明は、情報処理装置と情報読取装置とを有する情報処理システムによる情報処理方法において、上記情報処理装置により、初期登録時においては、受信したパケットのＩＤとパスワードを上記記憶手段の利用者情報と照合し、その結果、認証された場合には上記パケットのＨＴＴＰヘッダ情報を分析して当該端末の個体識別情報を上記記憶手段に登録し、サービス時においては、ＩＤとパスワード、或いは端末の個体識別情報とパスワードとのいずれかの組によって認証を行い、認証された場合には、上記ＩＤ又は個体識別情報に関係付けられたサービス情報を確定し、上記サービス情報により特定されるサーバに上記通信手段を介して上記利用者情報に含まれる照合識別情報を送信し、上記サーバからの当該照合識別情報に対応するカード情報を上記通信手段にて受信し、当該カード情報に所定の処理を施した後、上記通信手段を介して上記携帯端末に送信して所定の表示を促し、上記情報読取装置により、バーコードリーダで上記携帯端末の所定の表示を読み取り、得られたカード情報に基づいた情報処理を行う、ことを特徴とする情報処理方法としたものである。
請求項１１に係る発明は、上記所定の処理として、カード情報が決済機能を有する秘匿性の高いカードに係るものである場合には当該カード情報を２次元バーコードとする処理を施し、カード情報が決済機能を有しない秘匿性が低いカードに係るものである場合には１次元バーコードとする処理を施す、ことを更なる特徴とする請求項１０に記載の情報処理方法としたものである。
請求項１２に係る発明は、上記情報読取装置により、上記カード情報が決済機能を有する秘匿性の高いカードに係るものである場合には、当該カード情報をカード会社のサーバに送信し、課金処理を促す、ことを更なる特徴とする請求項１０又は１１のいずれかに記載の情報処理方法としたものである。


【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】